(57)【要約】【課題】  階層構造でファイルを記憶している異なる記憶媒体との間で、一方の記憶媒体から他方の記憶媒体に対してファイルを転送する際に、その階層構造に制約されることなくファイル転送ができるようにする。【解決手段】  ＣＰＵ１は、ＲＡＭ３に記憶されている階層構造のファイルから、指定操作に応じて任意の階層における任意のファイルを指定して、そのファイルを転送操作に応じてメモリカードに記憶されている階層構造のファイルの任意の階層に階層移動処理を伴うことなく直接転送し、メモリカードに記憶されている階層構造のファイルから、指定操作に応じて任意の階層における任意のファイルを指定して、そのファイルを転送操作に応じてＲＡＭ３に記憶されている階層構造のファイルの任意の階層に階層移動処理を伴うことなく直接転送する。【選択図】  図１
2005190245.tif 000002
【特許請求の範囲】
【請求項１】
第１の記憶媒体又は第２の記憶媒体に記憶されている階層構造のファイルから指定操作に応じて任意の階層における任意のファイルを指定するファイル指定手段と、
前記ファイル指定手段によって指定されたファイルを転送操作に応じて前記第２の記憶媒体又は前記第１の記憶媒体に記憶されている階層構造のファイルの任意の階層に階層移動処理を伴うことなく直接転送するファイル転送手段と、
を備えた情報処理装置。
【請求項２】
前記第１の記憶媒体は装置内に装着された内部記憶媒体で構成され、前記第２の記憶媒体は装置に着脱自在な外部記憶媒体で構成され、前記ファイル転送手段は、操作によって指定された転送方向に基づいて、前記第１の記憶媒体から前記第２の記憶媒体への転送又は前記第２の記憶媒体から前記第１の記憶媒体への転送を行うことを特徴とする請求項１記載の情報処理装置。
【請求項３】
前記ファイル転送手段は、前記第１の記憶媒体から前記第２の記憶媒体への転送の際に、転送対象のファイルと同一のファイル名のファイルが前記第２の記憶媒体に存在する場合には、前記転送対象のファイルのファイル名を変更して前記第２の記憶媒体に転送し、前記第２の記憶媒体から前記第１の記憶媒体への転送の際に、転送対象のファイルと同一のファイル名のファイルが前記第１の記憶媒体に存在する場合には、前記転送対象のファイルによって前記同一のファイル名のファイルを更新することを特徴とする請求項２記載の情報処理装置。
【請求項４】
前記ファイル転送手段は、前記第２の記憶媒体から前記第１の記憶媒体への転送の際に、転送対象のファイルと同一のファイル名のファイルが前記第１の記憶媒体に存在する場合には、前記転送対象のファイルのファイル名を変更して前記第１の記憶媒体に転送し、前記第１の記憶媒体から前記第２の記憶媒体への転送の際に、転送対象のファイルと同一のファイル名のファイルが前記第２の記憶媒体に存在する場合には、前記転送対象のファイルによって前記同一のファイル名のファイルを更新することを特徴とする請求項２記載の情報処理装置。
【請求項５】
前記ファイル転送手段は、所定の接続手段によって接続された外部装置に内蔵されている記憶媒体と前記第１の記憶媒体との間でファイルの転送を行うことを特徴とする請求項１記載の情報処理装置。
【請求項６】
前記ファイル転送手段は、所定の接続手段によって接続された外部装置を介してその外部装置に接続されている記憶媒体と前記第１の記憶媒体との間でファイルの転送を行うことを特徴とする請求項１記載の情報処理装置。
【請求項７】
前記ファイル転送手段は、所定の通信網を介して接続された外部装置と前記第１の記憶媒体との間でファイルの転送を行うことを特徴とする請求項１記載の情報処理装置。
【請求項８】
第１の記憶媒体又は第２の記憶媒体に記憶されている階層構造のファイルから指定操作に応じて任意の階層における任意のファイルを指定する第１のステップと、
前記第１のステップによって指定されたファイルを転送操作に応じて前記第２の記憶媒体又は前記第１の記憶媒体に記憶されている階層構造のファイルの任意の階層に階層移動処理を伴うことなく直接転送する第２のステップと、
を実行する情報処理のプログラム。
【請求項９】
前記第１の記憶媒体は装置内に装着された内部記憶媒体で構成され、前記第２の記憶媒体は装置に着脱自在な外部記憶媒体で構成され、前記第２のステップは、操作によって指定された転送方向に基づいて、前記第１の記憶媒体から前記第２の記憶媒体への転送又は前記第２の記憶媒体から前記第１の記憶媒体への転送を行うことを特徴とする請求項８記載の情報処理のプログラム。
【請求項１０】
前記第２のステップは、前記第１の記憶媒体から前記第２の記憶媒体への転送の際に、転送対象のファイルと同一のファイル名のファイルが前記第２の記憶媒体に存在する場合には、前記転送対象のファイルのファイル名を変更して前記第２の記憶媒体に転送し、前記第２の記憶媒体から前記第１の記憶媒体への転送の際に、転送対象のファイルと同一のファイル名のファイルが前記第１の記憶媒体に存在する場合には、前記転送対象のファイルによって前記同一のファイル名のファイルを更新することを特徴とする請求項９記載の情報処理のプログラム。
【請求項１１】
前記第２のステップは、前記第２の記憶媒体から前記第１の記憶媒体への転送の際に、転送対象のファイルと同一のファイル名のファイルが前記第１の記憶媒体に存在する場合には、前記転送対象のファイルのファイル名を変更して前記第１の記憶媒体に転送し、前記第１の記憶媒体から前記第２の記憶媒体への転送の際に、転送対象のファイルと同一のファイル名のファイルが前記第２の記憶媒体に存在する場合には、前記転送対象のファイルによって前記同一のファイル名のファイルを更新することを特徴とする請求項９記載の情報処理のプログラム。
【請求項１２】
前記第２のステップは、所定の接続手段によって接続された外部装置に内蔵されている記憶媒体と前記第１の記憶媒体との間でファイルの転送を行うことを特徴とする請求項８記載の情報処理のプログラム。
【請求項１３】
前記第２のステップは、所定の接続手段によって接続された外部装置を介してその外部装置に接続されている記憶媒体と前記第１の記憶媒体との間でファイルの転送を行うことを特徴とする請求項８記載の情報処理のプログラム。
【請求項１４】
前記第２のステップは、所定の通信網を介して接続された外部装置と前記第１の記憶媒体との間でファイルの転送を行うことを特徴とする請求項８記載の情報処理のプログラム。
【発明の詳細な説明】
【技術分野】
【０００１】
本発明は、情報処理装置および情報処理のプログラムに関し、特に、階層構造のファイルを転送する情報処理装置および情報処理のプログラムに関するものである。
【背景技術】
【０００２】
パソコン、携帯用の情報端末、ワークステーション、オフィスコンピュータ、メインフレームのコンピュータなどの情報処理装置において、記憶されているファイル（「データファイル」又は単に「データ」ともいう）をコピー又は移動のために転送する方法については、従来、様々な提案がなされている。
例えば、ある提案による情報処理装置においては、一方の情報処理機器（ホスト機）から他方の情報処理機器（移動機）へファイルの複写が指示されると、複写処理手段により複写先のファイル管理データ内のオリジナルフラグにファイルが複写されたファイルであることを示す値をセットし、情報処理機器ＩＤに複写元の情報処理機器ＩＤをセットし、複写元のファイル管理データの所在をセットし、複写元の更新日時をセットし、複写先のファイルを含むディレクトリを管理するディレクトリ管理データ内のファイル管理ＩＤにファイル管理データの所在をセットする。複写先のファイルの更新が終了すると、更新処理手段によりファイルを管理するファイル管理データにファイル名と、ファイルの所在と、更新日時をセットする。複写元のファイルの移動が指示されると、移動処理手段により移動先のディレクトリを管理するディレクトリ管理データにファイル管理ＩＤをセットし、移動元のファイルを管理するディレクトリ管理データからファイル管理ＩＤを削除する。整合指示手段により二つの情報処理機器間のデータの整合性をとることが指示されると、ファイルが整合をとっている情報処理機器から複写されたファイルである場合、整合手段により複写元のファイルと複写先のファイルの更新日時を比較し、更新日時が新しいファイルを他方のファイルに複写（上書き）するとともに、新しい更新日時をセットする。これにより、情報処理機器間でファイルを複写した後に、複写元のファイルおよび複写先のファイルを移動した場合でも、情報処理機器間のデータの整合性をとるときの操作を簡略化することができる。（特許文献１参照）
また、ある提案による情報処理システム、情報処理装置、撮像システム、情報処理方法、記憶媒体においては、送信すべきデータファイルを下位ディレクトリとして有する送信ディレクトリの数を取得し、送信済みのデータファイルを下位ディレクトリとして有する送信済みディレクトリの数を取得し、取得された送信ディレクトリの数と取得された送信済みディレクトリの数とに基づいて、データファイルの転送進捗状況を示す信号を発生する構成になっている。これにより、転送処理の開始直後から転送進捗状況表示を行うことができるように、例えば撮像装置からコンピュータへ大量の画像を転送する場合であっても、転送進捗状況を簡単に、またすばやく得ることができる。（特許文献２参照）
また、ある提案によるデータ転送方法およびデータ格納方法、情報処理装置、並びにプログラムにおいては、第１の情報処理装置（コンピュータ）から情報伝達手段（ネットワーク）を介して外部の第２の情報処理装置（コンピュータ）へデータを送信する際に、第２の情報処理装置への送付対象情報と、その送付対象情報を分類するための分類データとを含む送信データを作成し、情報伝達手段を介して第２の情報処理装置へ送信するデータ送信ステップを含み、分類データは、第２の情報処理装置の内部又は外部の記憶手段（ハードディスク）における送付対象情報の格納場所を決定するための記述を含む。これにより、情報伝達手段であるネットワーク経由であるコンピュータから他のコンピュータへデータを送信した際に、データの受け取り側で、受け取ったデータが自動的に分類されて格納される。（特許文献３参照）
また、ある提案による画像制御装置においては、表示された画像の編集内容を示し上位階層から下位階層に分岐する階層構造を示すための複数の識別情報に対応するアドレスの領域夫々に、編集内容を選択するために表示する複数の編集指定画像（アイコン）の画像データを記憶する第１記憶手段（プログラム／データＲＯＭ）と、表示する編集指定画像に対応する少なくとも１つの識別情報（階層コード）を記憶する第２記憶手段（ワークＲＡＭ）と、階層構造の分岐経路に沿った編集内容に変更する第１指令を受けたときは、階層構造にしたがって第２記憶手段の識別情報を修正し、修正した識別情報に対応するアドレスの画像データを第１記憶手段から読み出し、階層構造の分岐経路に沿わない編集内容に変更する第２指令を受けたときは、階層構造にしたがうことなく第２記憶手段の識別情報を第２指令に係る編集内容に対応する識別情報に変更し、変更した識別情報に対応するアドレスの画像データを第１記憶手段から読み出す制御手段を備えた構成になっている。これにより、簡単な操作で、ある階層に属する編集指定画像に基づいて画像の編集を行っているときに、その階層の上位階層とは異なる上位階層から分岐している下位階層にそれぞれ属する編集指定画像を表示することができる。（特許文献４参照）
【特許文献１】特開平８−１３７７３２号公報
【特許文献２】特開２００１−３２５１３９号公報
【特許文献３】特開２００３−２２３３８３号公報
【特許文献４】特開平９−１３８８５８号公報
【発明の開示】
【発明が解決しようとする課題】
【０００３】
しかしながら上記特許文献１ないし特許文献３においては、階層構造のファイルから任意のファイルを指定して、ある情報処理装置から他の情報処理装置に対して、その指定したファイルを転送する構成にはなっていない。特許文献４においては、階層構造にしたがうことなくワークＲＡＭの階層コードエリア４７の階層コードを編集内容に対応する階層コードに変更し、変更した階層コードに対応するアドレスの画像データをデータＲＯＭから読み出す構成にはなっているが、同一の記憶媒体であるデータＲＯＭ内においてのみ階層のジャンプを行っている。すなわち、特許文献４の発明の実施の形態における段落番号「００１４」および図１０に示されているように、同一の階層におけるキャラクタ１移動とキャラクタ２移動との間、およびキャラクタ１色変更とキャラクタ２色変更との間で画像データの移動を行う構成になっている。
【０００４】
このように、上記各特許文献を含め、従来の情報処理装置や情報処理のプログラムにおいては、異なる記憶媒体の間において階層構造に制約されることなくファイルの転送を行うことはできなかった。しかし、現在のように、キャッシュメモリやメインメモリなどの内部メモリの他に、フレキシブルディスク、ハードディスク、ＣＤ、ＭＯ、メモリカードなどの多種類の外部メモリに対してファイルを保存できる情報処理装置が普及している環境においては、異なる記憶媒体の間において、階層構造に制約されることなくファイルの転送を行うことが強く要望されている。特に、最近の携帯電話などの移動型の情報処理装置においては、ディジタルカメラを内蔵するとともに、インターネットなどの通信手段を介して、画像データや曲データをダウンロードする機能を具備しているので、例えば、ディジタルカメラで撮像した画像データを内部メモリおよび外部メモリにストアする場合がある。この場合に、内部メモリと外部メモリとの間で、階層移動処理の煩雑な操作を伴うことなく、ファイルの転送を行うことが強く要望されている。
本発明は、上記従来の課題を解決するためのものであり、階層構造でファイルを記憶している異なる記憶媒体との間で、一方の記憶媒体から他方の記憶媒体に対してファイルを転送する際に、その階層構造に制約されることなくファイル転送ができるようにすることを目的とする。
【課題を解決するための手段】
【０００５】
請求項１記載の情報処理装置（実施形態においては、携帯電話に相当する）は、第１の記憶媒体（実施形態においては、図１のＲＡＭ３に相当する）又は第２の記憶媒体（実施形態においては、メモリカードに相当する）に記憶されている階層構造のファイルから指定操作に応じて任意の階層における任意のファイルを指定するファイル指定手段（実施形態においては、図１のＣＰＵ１に相当する）と、ファイル指定手段によって指定されたファイルを転送操作に応じて第２の記憶媒体又は第１の記憶媒体に記憶されている階層構造のファイルの任意の階層に階層移動処理を伴うことなく直接転送するファイル転送手段（実施形態においては、図１のＣＰＵ１に相当する）と、を備えた構成になっている。
【０００６】
請求項１の情報処理装置において、請求項２に記載したように、第１の記憶媒体は装置内に装着された内部記憶媒体で構成され、第２の記憶媒体は装置に着脱自在な外部記憶媒体で構成され、ファイル転送手段は、操作によって指定された転送方向に基づいて、第１の記憶媒体から第２の記憶媒体への転送又は第２の記憶媒体から第１の記憶媒体への転送を行うような構成にしてもよい。
さらに、請求項２の情報処理装置において、請求項３に記載したように、ファイル転送手段は、第１の記憶媒体から第２の記憶媒体への転送の際に、転送対象のファイルと同一のファイル名のファイルが第２の記憶媒体に存在する場合には、転送対象のファイルのファイル名を変更して第２の記憶媒体に転送し、第２の記憶媒体から第１の記憶媒体への転送の際に、転送対象のファイルと同一のファイル名のファイルが第１の記憶媒体に存在する場合には、転送対象のファイルによって同一のファイル名のファイルを更新するような構成にしてもよい。
あるいは、請求項２の情報処理装置において、請求項４に記載したように、ファイル転送手段は、第２の記憶媒体から第１の記憶媒体への転送の際に、転送対象のファイルと同一のファイル名のファイルが第１の記憶媒体に存在する場合には、転送対象のファイルのファイル名を変更して第１の記憶媒体に転送し、第１の記憶媒体から第２の記憶媒体への転送の際に、転送対象のファイルと同一のファイル名のファイルが第２の記憶媒体に存在する場合には、転送対象のファイルによって同一のファイル名のファイルを更新するような構成にしてもよい。
また、請求項１の情報処理装置において、請求項５に記載したように、ファイル転送手段は、所定の接続手段（実施形態においては、図１のパソコンＩ／Ｆ１７に相当する）によって接続された外部装置（実施形態においては、パソコンに相当する）に内蔵されている記憶媒体と第１の記憶媒体との間でファイルの転送を行うような構成にしてもよい。
さらに、請求項５の情報処理装置において、請求項６に記載したように、ファイル転送手段は、所定の接続手段によって接続された外部装置を介してその外部装置に接続されている記憶媒体（実施形態においては、パソコンに接続されているハードディスク、フレキシブルディスク、ＣＤ−ＲＯＭなどに相当する）と第１の記憶媒体との間でファイルの転送を行うような構成にしてもよい。
また、請求項１の情報処理装置において、請求項７に記載したように、ファイル転送手段は、所定の通信網（実施形態においては、インターネットに相当する）を介して接続された外部装置と第１の記憶媒体との間でファイルの転送を行うような構成にしてもよい。
【０００７】
請求項８に記載の情報処理のプログラムは、第１の記憶媒体（実施形態においては、図１のＲＡＭ３に相当する）又は第２の記憶媒体（実施形態においては、メモリカードに相当する）に記憶されている階層構造のファイルから指定操作に応じて任意の階層における任意のファイルを指定する第１のステップと、第１のステップによって指定されたファイルを転送操作に応じて第２の記憶媒体又は第１の記憶媒体に記憶されている階層構造のファイルの任意の階層に階層移動処理を伴うことなく直接転送する第２のステップと、を実行する。この場合において、第１のステップおよび第２のステップは、実施形態においては、図１のＣＰＵ１の処理に相当する。
【０００８】
請求項８の情報処理のプログラムにおいて、請求項９に記載したように、第１の記憶媒体は装置内に装着された内部記憶媒体で構成され、第２の記憶媒体は装置に着脱自在な外部記憶媒体で構成され、第２のステップは、操作によって指定された転送方向に基づいて、第１の記憶媒体から第２の記憶媒体への転送又は第２の記憶媒体から第１の記憶媒体への転送を行うような構成にしてもよい。
さらに、請求項９の情報処理のプログラムにおいて、請求項１０に記載したように、第２のステップは、第１の記憶媒体から第２の記憶媒体への転送の際に、転送対象のファイルと同一のファイル名のファイルが第２の記憶媒体に存在する場合には、転送対象のファイルのファイル名を変更して第２の記憶媒体に転送し、第２の記憶媒体から第１の記憶媒体への転送の際に、転送対象のファイルと同一のファイル名のファイルが第１の記憶媒体に存在する場合には、転送対象のファイルによって同一のファイル名のファイルを更新するような構成にしてもよい。
あるいは、請求項９の情報処理のプログラムにおいて、請求項１１に記載したように、第２のステップは、第２の記憶媒体から第１の記憶媒体への転送の際に、転送対象のファイルと同一のファイル名のファイルが第１の記憶媒体に存在する場合には、転送対象のファイルのファイル名を変更して第１の記憶媒体に転送し、第１の記憶媒体から第２の記憶媒体への転送の際に、転送対象のファイルと同一のファイル名のファイルが第２の記憶媒体に存在する場合には、転送対象のファイルによって同一のファイル名のファイルを更新するような構成にしてもよい。
また、請求項８の情報処理のプログラムにおいて、請求項１２に記載したように、第２のステップは、所定の接続手段（実施形態においては、図１のパソコンＩ／Ｆ１７に相当する）によって接続された外部装置（実施形態においては、パソコンに相当する）に内蔵されている記憶媒体と第１の記憶媒体との間でファイルの転送を行うような構成にしてもよい。
さらに、請求項１２の情報処理のプログラムにおいて、請求項１３に記載したように、第２のステップは、所定の接続手段によって接続された外部装置を介してその外部装置に接続されている記憶媒体（実施形態においては、パソコンに接続されているハードディスク、フレキシブルディスク、ＣＤ−ＲＯＭなどに相当する）と第１の記憶媒体との間でファイルの転送を行うような構成にしてもよい。
また、請求項８の情報処理のプログラムにおいて、請求項１４に記載したように、第２のステップは、所定の通信網（実施形態においては、インターネットに相当する）を介して接続された外部装置と第１の記憶媒体との間でファイルの転送を行うような構成にしてもよい。
【発明の効果】
【０００９】
本発明のによれば、階層構造でファイルを記憶している異なる記憶媒体との間で、一方の記憶媒体から他方の記憶媒体に対してファイルを転送する際に、その階層構造に制約されることなくファイル転送ができるという効果が得られる。
【発明を実施するための最良の形態】
【００１０】
以下、本発明による情報処理装置の第１実施形態および第２実施形態について、携帯電話を例に採って図を参照して説明する。
図１は、各実施形態における携帯電話の構成を示す概略のブロック図である。
図１において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、スイッチ部５、カメラ６、メモリカードドライバ７、パソコンＩ／Ｆ（インターフェース）１７などが接続されている。また、ＣＰＵ１には、表示ドライバ８を介して表示部９およびサブ表示部１０が接続されている。また、ＣＰＵ１には、ドライバ（図示せず）を介してマイク１１、スピーカ１２、イヤホン１３が接続されている。さらに、ＣＰＵ１には、電源ＩＣ１４が接続され、電源ＩＣ１４には、ＡＣアダプタ１５および充電池１６が接続されている。
【００１１】
ＲＯＭ２には、情報処理のプログラム、イニシャライズにおけるデフォルト値などがあらかじめ格納されている。ＲＡＭ３は、ＣＰＵ１のワークエリアであり、ＣＰＵ１によって処理されるデータを一時的にストアするバッファエリア、各種のレジスタやフラグなどのエリア、カメラ６で撮像された画像データ、ＲＦブロック４を介して外部から受信した画像データ又は曲データ、テキストデータなどのファイルをストアするファイルエリアなどが設けられている。ファイルエリアにおいては、各種のデータがファイルとしてストアされ、各ファイルはファイル名によってＣＰＵ１で管理される。さらに、複数のファイルは階層構造でフォルダに格納される。例えば、画像データ、曲データ、テキストデータのように、データ種別ごとのフォルダ、又は、ユーザによって分類されたフォルダを統括して管理する最上位階層（「ルートディレクトリ」ともいう）の下位階層として各フォルダがあり、各フォルダの下位階層としてそのフォルダに所属するファイルがある。
【００１２】
スイッチ部５は、携帯電話のためのオフフックスイッチ、オンフックスイッチ、発信スイッチ、カーソルスイッチなどのスイッチ群のほかに、表示部９に表示されたＯＫアイコン、戻るアイコン、切替アイコン、サブメニューアイコンに対応するスイッチ群である、ＯＫスイッチ、戻るスイッチ、切替スイッチ、サブメニュースイッチなどで構成されている。各スイッチの機能については後述する。カメラ６は、レンズ、ＣＣＤ、バッファ、カメラスイッチ、シャッタスイッチ（いずれも図示せず）などで構成され、カメラスイッチがオンされるとＣＣＤによってレンズからの画像を撮像し、シャッタスイッチがオンされると、撮像した画像データをＲＡＭ３にストアする。メモリカードドライバ７は、着脱自在なメモリカードに対してデータを書き込むとともに、メモリカードのデータを読み出す。メモリカードにおいても、ＲＡＭ３と同様に、階層構造でファイルがストアされる。
表示部９には、待受画面、フォルダリストの画面、ファイルリストの画面などが表示される。サブ表示部１０には、充電池１６の電池残量を示すマーク、アンテナ形状のアイコンによって電界強度、現在時間、その他の情報が表示される。
マイク１１は、通話処理においてユーザの音声を電気信号に変換してＣＰＵ１に入力する。スピーカ１２およびイヤホン１３は着信音や通話相手の音声を出力する。
パソコンＩ／Ｆ１７は、ＵＳＢケーブル又は専用ケーブルによって外部のパソコンと接続してネットワークを構成することができる。外部のパソコンと接続した状態では、ＣＰＵ１は、パソコンの内部メモリであるキャッシュメモリ、メインメモリ、又は、パソコンに接続されているハードディスク、フレキシブルディスク、ＣＤ−ＲＯＭなどの外部メモリにアクセスすることができる。
【００１３】
次に、この携帯電話における第１実施形態の通話処理およびファイル転送処理の動作について、ＣＰＵ１によって実行されるフローチャートに基づいて説明する。
図２ないし図６は、メインルーチンのフローチャートである。図２において、電源スイッチがオン操作されると、所定のイニシャライズを行って（ステップＳＡ１）、表示部９に待受画面を表示する（ステップＳＡ２）。次に、オフフックスイッチが操作されたか否かを判別し（ステップＳＡ３）、このスイッチが操作されたときは、電話番号入力画面を表示して、スイッチ部５の操作に応じて電話番号の入力処理を行う（ステップＳＡ４）。電話番号が入力されたときは電話網に対して発信する（ステップＳＡ５）。このとき、スピーカ１２によって呼出報知を行う（ステップＳＡ６）。この呼出報知の間に、発信に応答して被呼側との間に回線接続が確立したか否かを判別し（ステップＳＡ７）、回線接続が確立したときは、通話処理に遷移して音声信号の送受信を行う（ステップＳＡ８）。通話処理においては、オンフックスイッチが操作されたか否かを判別し（ステップＳＡ９）、このスイッチが操作されたときは、回線切断などの終話処理を行う（ステップＳＡ１０）。終話処理の後は、ステップＳＡ２に移行して、再び表示部９に待受画面を表示する。
【００１４】
ステップＳＡ３においてオフフックスイッチがオンでない場合には、図３のフローチャートにおいて、ＯＫスイッチがオンされたか否かを判別する（ステップＳＡ１１）。このスイッチがオンでない場合には、他の処理を実行し（ステップＳＡ１２）、図２のステップＳＡ３に移行して、オフフックスイッチがオンされたか否かを判別する。一方、ＯＫスイッチがオンされたときは、メモリを指定するフラグＳＤＦを「０」にセットする（ステップＳＡ１３）。ＳＤＦの値が「０」のときはキャッシュメモリやメインメモリなどのＲＡＭ３すなわち内部メモリを指定し、ＳＤＦの値が「１」のときはメモリカード又はパソコン若しくはパソコンに接続されているメモリなどの外部メモリを指定する。
【００１５】
次に、メモリ内のフォルダを指定する変数ｎを「０（最初のフォルダ）」にセットする（ステップＳＡ１４）。そして、ＳＤＦの値が「０」であるか又は「１」であるかを判別する（ステップＳＡ１５）。ＳＤＦの値が「０」である場合には、内部メモリ内のフォルダに対応するフォルダ画面を表示する（ステップＳＡ１６）。ＳＤＦの値が「１」である場合には、外部メモリ内のフォルダに対応するフォルダ画面を表示する（ステップＳＡ１７）。どちらのフォルダ画面にも、ＯＫスイッチ、戻るスイッチ、切替スイッチ、およびサブメニュースイッチのアイコンが表示される。内部メモリ又は外部メモリのフォルダ画面を表示した後は、ｎ番目のフォルダにフォーカスする（ステップＳＡ１８）。すなわち、ｎ番目のフォルダの表示色を変更して強調表示する。
【００１６】
そして、カーソルスイッチがオンされたか否かを判別し（ステップＳＡ１９）、このスイッチがオンされたときはｎの値を変化させる（ステップＳＡ２０）。すなわち、フォーカスするフォルダを変更する。次に、ＯＫスイッチがオンされたか否かを判別し（ステップＳＡ２１）、このスイッチがオンでない場合には、戻るスイッチがオンされたか否かを判別する（ステップＳＡ２２）。このスイッチがオンされたときは、図２のステップＳＡ２に移行して待受画面を表示する。戻るスイッチがオンでない場合には、切替スイッチがオンされたか否かを判別する（ステップＳＡ２３）。このスイッチがオンされたときは、ＳＤＦの値を反転する（ステップＳＡ２４）。そして、ステップＳＡ１５に移行して、ＳＤＦの値を判別する。ステップＳＡ２１において、ＯＫスイッチがオンされたときは、フォーカスされているフォルダ内のファイルを指定する変数ｍを「０（最初のファイル）」にセットする（ステップＳＡ２５）。
【００１７】
ステップＳＡ２３において、切替スイッチがオンでない場合には、図４のフローチャートにおいて、サブメニュースイッチがオンされたか否かを判別し（ステップＳＡ２６）、このスイッチがオンでない場合には、図３のステップＳＡ１９に移行して、カーソルスイッチがオンされたか否かを判別する。一方、サブメニュースイッチがオンされたときは、表示部９にサブメニュー画面を表示する（ステップＳＡ２７）。このサブメニュー画面には、フォルダ作成やフォルダ削除などの複数の項目が表示される。そして、ひとつの項目にフォーカスする（ステップＳＡ２８）。次に、カーソルスイッチがオンされたか否かを判別し（ステップＳＡ２９）、このスイッチがオンされたときは、フォーカス位置を移動する（ステップＳＡ３０）。そして、ＯＫスイッチがオンされたか否かを判別する（ステップＳＡ３１）。このスイッチがオンでない場合には、戻るスイッチがオンされたか否かを判別する（ステップＳＡ３２）。このスイッチがオンされたときは、図３のステップＳＡ１５に移行して、ＳＤＦの値が「０」であるか「１」であるかを判別する。戻るスイッチもオンでない場合には、ステップＳＡ２９に移行して、カーソルスイッチがオンされたか否かを判別する。
【００１８】
ステップＳＡ３１においてＯＫスイッチがオンされたときは、フォーカス位置がフォルダ作成の項目であるか否かを判別する（ステップＳＡ３３）。フォルダ作成の項目でない場合には、フォーカス位置の項目に応じてその他の処理を行う（ステップＳＡ３４）。そして、ステップＳＡ２７に移行して、再びサブメニュー画面を表示する。一方、フォーカス位置がフォルダ作成の項目である場合には、表示部９にフォルダ名の作成画面を表示して（ステップＳＡ３５）、スイッチ部の操作に応じてフォルダ名を入力する（ステップＳＡ３６）。そして、ＯＫスイッチがオンされたか否かを判別し（ステップＳＡ３７）、このスイッチがオンされたときは、入力されたファイル名に応じて、内部メモリ、外部メモリに新たなフォルダを作成する（ステップＳＡ３８）。そして、ステップＳＡ２７に移行して、再びサブメニュー画面を表示する。
【００１９】
図３のステップＳＡ２５において、フォーカスされているフォルダ内のファイルを指定する変数ｍを「０」にセットした後は、図５のフローチャートにおいて、ＳＤＦの値が「０」であるか又は「１」であるかを判別する（ステップＳＡ３９）。ＳＤＦの値が「０」である場合には、内部メモリのｎ番目のフォルダのファイルリスト画面を表示する（ステップＳＡ４０）。ＳＤＦの値が「１」である場合には、外部メモリのｎ番目のフォルダのファイルリスト画面を表示する（ステップＳＡ４１）。どちらのファイルリスト画面にも、ＯＫスイッチ、戻るスイッチ、切替スイッチ、およびサブメニュースイッチのアイコンが表示される。内部メモリ又は外部メモリのファイルリスト画面を表示した後は、ｍ番目のファイルにフォーカスする（ステップＳＡ４２）。
【００２０】
そして、カーソルスイッチがオンされたか否かを判別し（ステップＳＡ４３）、このスイッチがオンされたときはｍの値を変化させる（ステップＳＡ４４）。すなわち、フォーカスするファイルを変更する。カーソルスイッチがオンでない場合、又はカーソルスイッチのオンによってｍの値を変化させた後は、ＯＫスイッチがオンされたか否かを判別する（ステップＳＡ４５）。このスイッチがオンでない場合には、戻るスイッチがオンされたか否かを判別する（ステップＳＡ４６）。このスイッチがオンされたときは、図３のステップＳＡ１５に移行し、ＳＤＦの値が「０」であるか又は「１」であるかを判別する。戻るスイッチがオンでない場合には、切替スイッチがオンされたか否かを判別する（ステップＳＡ４７）。このスイッチがオンされたときは、ＳＤＦの値を反転して（ステップＳＡ４８）、ステップＳＡ３９に移行し、ＳＤＦの値が「０」であるか又は「１」であるかに応じて、内部メモリ又は外部メモリのファイルリストを表示する。
【００２１】
ステップＳＡ４５において、ＯＫスイッチがオンされたときは、ＳＤＦの値が「０」であるか又は「１」であるかを判別する（ステップＳＡ４９）。ＳＤＦの値が「０」である場合には、内部メモリのｎ番目のフォルダのｍ番目のファイルを開封表示する（ステップＳＡ５０）。ＳＤＦの値が「１」である場合には、外部メモリのｎ番目のフォルダのｍ番目のファイルを開封表示する（ステップＳＡ５１）。内部メモリ又は外部メモリのファイルを開封表示した後は、戻るスイッチがオンされたか否かを判別する（ステップＳＡ５２）。このスイッチがオンでない場合にはその他の処理を行って（ステップＳＡ５３）、戻るスイッチがオンされたか否かを判別する。戻るスイッチがオンされたときは、ステップＳＡ３９に移行し、ＳＤＦの値が「０」であるか又は「１」であるかを判別する。
【００２２】
ステップＳＡ４７において切替スイッチがオンでない場合には、図６のフローチャートにおいて、サブメニュースイッチがオンされたか否かを判別する（ステップＳＡ５４）。このスイッチがオンでない場合には、図５のステップＳＡ４３に移行して、カーソルスイッチがオンされたか否かを判別する。サブメニュースイッチがオンされたときは、コピー、移動、削除などの複数の項目を示すサブメニュー画面を表示する（ステップＳＡ５５）。サブメニュー画面には、ＯＫスイッチおよび戻るスイッチのアイコンが表示される。そして、ひとつの項目にフォーカスする（ステップＳＡ５６）。
【００２３】
次に、カーソルスイッチがオンされたか否かを判別し（ステップＳＡ５７）、このスイッチがオンされたときはフォーカス位置を移動する（ステップＳＡ５８）。カーソルスイッチがオンでない場合、又はカーソルスイッチのオンによってフォーカス位置を移動した後は、ＯＫスイッチがオンされたか否かを判別する（ステップＳＡ５９）。このスイッチがオンでない場合には、戻るスイッチがオンされたか否かを判別する（ステップＳＡ６０）。このスイッチがオンでない場合には、ステップＳＡ５７に移行して、カーソルスイッチがオンされたか否かを判別する。戻るスイッチがオンされたときは、フォルダ画面表示に戻って図５のステップＳＡ３９に移行し、ＳＤＦの値が「０」であるか又は「１」であるかを判別する。
【００２４】
ステップＳＡ５９においてＯＫスイッチがオンされたときは、フォーカス位置がコピーの項目であるか否かを判別する（ステップＳＡ６１）。コピーの項目である場合にはコピー処理を行う（ステップＳＡ６２）。フォーカス位置がコピーの項目でない場合には、フォーカス位置が移動の項目であるか否かを判別する（ステップＳＡ６３）。移動の項目である場合には移動処理を行う（ステップＳＡ６４）。フォーカス位置がコピーの項目でも移動の項目でもない場合には、フォーカス位置の項目に対応するその他の処理を行う（ステップＳＡ６５）。コピー処理、移動処理、又はその他の処理を終了した後は、ステップＳＡ５５に移行して、再びサブメニュー画面を表示する。
【００２５】
図７は、図６におけるステップＳＡ６２のコピー処理のフローチャートである。まず、ＳＤＦの値が「０」であるか又は「１」であるかを判別する（ステップＳＢ１）。ＳＤＦの値が「０」である場合には、内部メモリのファイルを外部メモリにコピーする処理となる。この場合には、フォーカスされた内部メモリのファイルと同一名のファイルが外部メモリにあるか否かを判別する（ステップＳＢ２）。同一名のファイルが外部メモリにある場合には、新たなファイル名を生成する（ステップＳＢ３）。同一名のファイルが外部メモリにない場合、又は、新たなファイル名を生成した後は、外部メモリに空きエリアを確保して（ステップＳＢ４）、内部メモリのファイルをその空きエリアにコピーする（ステップＳＢ５）。そして、メインルーチンに戻る。
【００２６】
ステップＳＢ１においてＳＤＦの値が「１」である場合には、外部メモリのファイルを内部メモリにコピーする処理となる。この場合には、フォーカスされた外部メモリのファイルと同一名のファイルが内部メモリにあるか否かを判別する（ステップＳＢ６）。同一名のファイルが内部メモリにある場合には、外部メモリのファイルを同一名の内部メモリのファイルに上書きする（ステップＳＢ７）。そして、メインルーチンに戻る。
外部メモリのファイルと同一名のファイルが内部メモリにない場合には、内部メモリに空きエリアを確保して（ステップＳＢ８）、外部メモリのファイルをその空きエリアにコピーする（ステップＳＢ９）。そして、メインルーチンに戻る。
【００２７】
図８は、図６におけるステップＳＡ６４の移動処理のフローチャートである。まず、ＳＤＦの値が「０」であるか又は「１」であるかを判別する（ステップＳＣ１）。ＳＤＦの値が「０」である場合には、内部メモリのファイルを外部メモリに移動する処理となる。この場合には、フォーカスされた内部メモリのファイルと同一名のファイルが外部メモリにあるか否かを判別する（ステップＳＣ２）。同一名のファイルが外部メモリにある場合には、新たなファイル名を生成する（ステップＳＣ３）。同一名のファイルが外部メモリにない場合、又は、新たなファイル名を生成した後は、外部メモリに空きエリアを確保して（ステップＳＣ４）、内部メモリのファイルをその空きエリアにコピーする（ステップＳＣ５）。この後は、内部メモリの移動対象のファイルをクリアして（ステップＳＣ６）、メインルーチンに戻る。
【００２８】
ステップＳＣ１においてＳＤＦの値が「１」である場合には、外部メモリのファイルを内部メモリに移動する処理となる。この場合には、フォーカスされた外部メモリのファイルと同一名のファイルが内部メモリにあるか否かを判別する（ステップＳＣ７）。同一名のファイルが内部メモリにある場合には、外部メモリのファイルを同一名の内部メモリのファイルに上書きする（ステップＳＣ８）。
外部メモリのファイルと同一名のファイルが内部メモリにない場合には、内部メモリに空きエリアを確保して（ステップＳＣ９）、外部メモリのファイルをその空きエリアにコピーする（ステップＳＣ１０）。ステップＳＣ８の上書き処理又はステップＳＣ１０のコピー処理の後は、外部メモリの移動対象のファイルをクリアして（ステップＳＣ１１）、メインルーチンに戻る。
【００２９】
図９は、着信検知処理のフローチャートである。ＲＦブロック４を介して着信を検知したときは、スピーカ１２によって着信を報知する（ステップＳＤ１）。この着信報知の間にオフフックスイッチが操作されたか否かを判別し（ステップＳＤ２）、このスイッチが操作されたときは、通話処理に遷移して音声信号の送受信を行う（ステップＳＤ３）。通話処理においては、オンフックスイッチが操作されたか否かを判別し（ステップＳＤ４）、このスイッチが操作されたときは、回線切断などの終話処理を行う（ステップＳＤ５）。終話処理の後は、メインルーチンに戻る。
【００３０】
以上のように、この第１実施形態によれば、ＣＰＵ１は、内部メモリに記憶されている階層構造のファイルから、指定操作に応じて任意の階層における任意のファイルを指定して、そのファイルを転送操作に応じて外部メモリに記憶されている階層構造のファイルの任意の階層に階層移動処理を伴うことなく直接転送する。同様に、ＣＰＵ１は、外部メモリに記憶されている階層構造のファイルから、指定操作に応じて任意の階層における任意のファイルを指定して、そのファイルを転送操作に応じて内部メモリに記憶されている階層構造のファイルの任意の階層に階層移動処理を伴うことなく直接転送する。したがって、階層構造でファイルを記憶している異なる記憶媒体との間で、一方の記憶媒体から他方の記憶媒体に対してファイルを転送する際に、その階層構造に制約されることなくファイル転送ができる。
【００３１】
この場合において、ＣＰＵ１は、操作によって指定されたフラグＳＤＦの値に応じて決定する転送方向に基づいて、ＳＤＦの値が「０」のときは内部メモリから外部メモリにファイルを転送し、ＳＤＦの値が「１」のときは外部メモリから内部メモリにファイルを転送する。したがって、極めて簡単な操作によってファイル転送の方向を自在に指定することができる。
【００３２】
また、この場合において、ＣＰＵ１は、内部メモリから外部メモリへの転送の際に、転送対象のファイルと同一のファイル名のファイルが外部メモリに存在する場合には、転送対象のファイルのファイル名を変更して外部メモリに転送し、外部メモリから内部メモリへの転送の際に、転送対象のファイルと同一のファイル名のファイルが内部メモリに存在する場合には、転送対象のファイルによって同一のファイル名のファイルを更新する。したがって、キャッシュメモリおよびメインメモリなどで構成された内部メモリの記憶エリアが少ない場合には、転送対象のファイルと同一のファイル名の内部メモリのファイルを転送対象のファイルで上書きして更新することによって、内部メモリの記憶エリアを節約できる。
【００３３】
次に、この携帯電話における第２実施形態の情報処理の動作について説明する。第２実施形態におけるＣＰＵ１のメインルーチンの処理は、コピー処理および移動処理のほかは第１実施形態の処理と同じであり、着信検知処理も第１実施形態と同じである。したがって、第２実施形態におけるコピー処理および移動処理について説明する。
図１０は、第２実施形態のコピー処理のフローチャートである。まず、ＳＤＦの値が「１」であるか又は「０」であるかを判別する（ステップＳＥ１）。ＳＤＦの値が「１」である場合には、外部メモリのファイルを内部メモリにコピーする処理となる。この場合には、フォーカスされた外部メモリのファイルと同一名のファイルが内部メモリにあるか否かを判別する（ステップＳＥ２）。同一名のファイルが内部メモリにある場合には、新たなファイル名を生成する（ステップＳＥ３）。同一名のファイルが内部メモリにない場合、又は、新たなファイル名を生成した後は、内部メモリに空きエリアを確保して（ステップＳＥ４）、外部メモリのファイルをその空きエリアにコピーする（ステップＳＥ５）。そして、メインルーチンに戻る。
【００３４】
ステップＳＥ１においてＳＤＦの値が「０」である場合には、内部メモリのファイルを外部メモリにコピーする処理となる。この場合には、フォーカスされた内部メモリのファイルと同一名のファイルが外部メモリにあるか否かを判別する（ステップＳＥ６）。同一名のファイルが外部メモリにある場合には、内部メモリのファイルを同一名の外部メモリのファイルに上書きする（ステップＳＥ７）。そして、メインルーチンに戻る。
内部メモリのファイルと同一名のファイルが外部メモリにない場合には、外部メモリに空きエリアを確保して（ステップＳＥ８）、内部メモリのファイルをその空きエリアにコピーする（ステップＳＥ９）。そして、メインルーチンに戻る。
【００３５】
図１１は、第２実施形態の移動処理のフローチャートである。まず、ＳＤＦの値が「１」であるか又は「０」であるかを判別する（ステップＳＦ１）。ＳＤＦの値が「１」である場合には、外部メモリのファイルを内部メモリに移動する処理となる。この場合には、フォーカスされた外部メモリのファイルと同一名のファイルが内部メモリにあるか否かを判別する（ステップＳＦ２）。同一名のファイルが内部メモリにある場合には、新たなファイル名を生成する（ステップＳＦ３）。同一名のファイルが内部メモリにない場合、又は、新たなファイル名を生成した後は、内部メモリに空きエリアを確保して（ステップＳＦ４）、外部メモリのファイルをその空きエリアにコピーする（ステップＳＦ５）。この後は、外部メモリの移動対象のファイルをクリアして（ステップＳＦ６）、メインルーチンに戻る。
【００３６】
ステップＳＦ１においてＳＤＦの値が「０」である場合には、内部メモリのファイルを外部メモリに移動する処理となる。この場合には、フォーカスされた内部メモリのファイルと同一名のファイルが外部メモリにあるか否かを判別する（ステップＳＦ７）。同一名のファイルが外部メモリにある場合には、内部メモリのファイルを同一名の外部メモリのファイルに上書きする（ステップＳＦ８）。
内部メモリのファイルと同一名のファイルが外部メモリにない場合には、外部メモリに空きエリアを確保して（ステップＳＦ９）、内部メモリのファイルをその空きエリアにコピーする（ステップＳＦ１０）。ステップＳＦ８の上書き処理又はステップＳＦ１０のコピー処理の後は、内部メモリの移動対象のファイルをクリアして（ステップＳＦ１１）、メインルーチンに戻る。
【００３７】
以上のように、この第２実施形態によれば、ＣＰＵ１は、外部メモリから内部メモリへの転送の際に、転送対象のファイルと同一のファイル名のファイルが内部メモリに存在する場合には、転送対象のファイルのファイル名を変更して内部メモリに転送し、内部メモリから外部メモリへの転送の際に、転送対象のファイルと同一のファイル名のファイルが外部メモリに存在する場合には、転送対象のファイルによって同一のファイル名のファイルを更新する。したがって、メモリカードなどで構成された外部メモリの記憶エリアが少ない場合には、転送するファイルと同一のファイル名の外部メモリのファイルを転送するファイルで上書きして更新することによって、外部メモリの記憶エリアを節約できる。
【００３８】
上記各実施形態においては、内部メモリすなわちキャッシュメモリやメインメモリからなるＲＡＭ３と、外部メモリであるメモリカード又はパソコンＩ／Ｆ１７を介して接続されたパソコンの内部メモリ、若しくは、そのパソコンに接続されているハードディスク、フレキシブルディスク、ＣＤ−ＲＯＭなどとの間でファイルを転送する構成について説明したが、ＲＦブロック４によって無線通信網を介して接続された外部装置、例えば、他のユーザの携帯電話と、ＲＡＭ３との間でファイルを転送することも可能である。この場合には、例えば、友人同士で画像データや曲データのファイルを交換することができる。
【００３９】
また、上記各実施形態においては、携帯電話を例に採って本発明の情報処理装置を説明したが、本発明の情報処理装置の適用範囲は携帯電話に限定されない。異なる記憶媒体との間で、それぞれに記憶されている階層構造のファイルの任意の階層に、階層移動処理を伴うことなく直接転送する構成が可能なすべての情報処理装置、例えば、ＰＨＳ、携帯情報端末（ＰＤＡ）、パソコン、ワークステーション、オフィスコンピュータ、メインフレームのコンピュータなどにも本発明を適用できる。
【００４０】
なお、上記各実施形態においては、ＲＯＭ２にあらかじめ格納されている情報処理のプログラムをＣＰＵ１が実行する構成にしたが、メモリカードドライバ７を介して、メモリカードに記憶されている情報処理のプログラムをこの携帯電話にインストールする構成、又は、ＲＦブロック４を介して、インターネットなどの通信網からダウンロードした情報処理のプログラムをこの携帯電話にインストールする構成も可能である。この場合には、プログラムの発明を実現する。
【００４１】
すなわち、そのプログラムは、第１の記憶媒体又は第２の記憶媒体に記憶されている階層構造のファイルから指定操作に応じて任意の階層における任意のファイルを指定する第１のステップと、前記第１のステップによって指定されたファイルを転送操作に応じて前記第２の記憶媒体又は前記第１の記憶媒体に記憶されている階層構造のファイルの任意の階層に階層移動処理を伴うことなく直接転送する第２のステップと、を実行する。
【００４２】
この場合において、前記第１の記憶媒体は装置内に装着された内部記憶媒体で構成され、前記第２の記憶媒体は装置に着脱自在な外部記憶媒体で構成され、前記第２のステップは、操作によって指定された転送方向に基づいて、前記第１の記憶媒体から前記第２の記憶媒体への転送又は前記第２の記憶媒体から前記第１の記憶媒体への転送を行うことを特徴とする。
【００４３】
また、この場合において、前記第２のステップは、前記第１の記憶媒体から前記第２の記憶媒体への転送の際に、転送対象のファイルと同一のファイル名のファイルが前記第２の記憶媒体に存在する場合には、前記転送対象のファイルのファイル名を変更して前記第２の記憶媒体に転送し、前記第２の記憶媒体から前記第１の記憶媒体への転送の際に、転送対象のファイルと同一のファイル名のファイルが前記第１の記憶媒体に存在する場合には、前記転送対象のファイルによって前記同一のファイル名のファイルを更新することを特徴とする。
【００４４】
あるいは、この場合において、前記第２のステップは、前記第２の記憶媒体から前記第１の記憶媒体への転送の際に、転送対象のファイルと同一のファイル名のファイルが前記第１の記憶媒体に存在する場合には、前記転送対象のファイルのファイル名を変更して前記第１の記憶媒体に転送し、前記第１の記憶媒体から前記第２の記憶媒体への転送の際に、転送対象のファイルと同一のファイル名のファイルが前記第２の記憶媒体に存在する場合には、前記転送対象のファイルによって前記同一のファイル名のファイルを更新することを特徴とする。
【００４５】
また、この場合において、前記第２のステップは、所定の接続手段によって接続された外部装置に内蔵されている記憶媒体と前記第１の記憶媒体との間でファイルの転送を行うことを特徴とする。さらに、この場合において、前記第２のステップは、所定の接続手段によって接続された外部装置を介してその外部装置に接続されている記憶媒体と前記第１の記憶媒体との間でファイルの転送を行うことを特徴とする。
また、この場合において、前記第２のステップは、所定の通信網を介して接続された外部装置と前記第１の記憶媒体との間でファイルの転送を行うことを特徴とする。
【図面の簡単な説明】
【００４６】
【図１】本発明の情報処理装置の実施形態における携帯電話の構成を示すブロック図。
【図２】図１の携帯電話の動作を示す第１実施形態におけるＣＰＵのメインルーチンのフローチャート。
【図３】図２に続くメインルーチンのフローチャート。
【図４】図３に続くメインルーチンのフローチャート。
【図５】図３に続くメインルーチンのフローチャート。
【図６】図５に続くメインルーチンのフローチャート。
【図７】図６におけるコピー処理のフローチャート。
【図８】図６における移動処理のフローチャート。
【図９】第１実施形態における着信検知処理のフローチャート。
【図１０】第２実施形態におけるコピー処理のフローチャート。
【図１１】第２実施形態における移動処理のフローチャート
【符号の説明】
【００４７】
１  ＣＰＵ
２  ＲＯＭ
３  ＲＡＭ
４  ＲＦブロック
５  スイッチ部
６  カメラ
７  メモリカードドライバ
８  表示ドライバ
９  表示部
１０  サブ表示部
１１  マイク
１２  スピーカ
１３  イヤホン
１４  電源ＩＣ
１５  ＡＣアダプタ
１６  充電池
１７  パソコンＩ／Ｆ
【図１】
2005190245.tif 000003
【図２】
2005190245.tif 000004
【図３】
2005190245.tif 000005
【図４】
2005190245.tif 000006
【図５】
2005190245.tif 000007
【図６】
2005190245.tif 000008
【図７】
2005190245.tif 000009
【図８】
2005190245.tif 000010
【図９】
2005190245.tif 000011
【図１０】
2005190245.tif 000012
【図１１】
2005190245.tif 000013